(57)【特許請求の範囲】
【請求項１】
絶縁ガスを充填した容器に収納された三相分の電圧変成部を有するガス絶縁計器用変圧器であって、
前記電圧変成部の一次巻線に取り付けられた第１の固定接触子と、
前記容器と電気的に絶縁された状態で前記容器の内部から外部に延設された導体と、
前記容器の内側の前記導体の端部に取り付けられた第２の固定接触子と、
前記容器の外部に設けられた駆動手段により回転する駆動軸の軸中心から半径方向に延在する可動接触子と、
高圧回路に接続され、前記駆動軸を軸止し、前記電圧変成部に対する電界を緩和するように前記可動接触子を収納可能に構成されると共に、前記可動接触子が前記第１の固定接触子および前記第２の固定接触子と接離可能に構成された断路部と、
前記駆動軸の一端に取り付けられ前記可動接触子の自由端を回動させる操作部と、
をそれぞれ三相分備えたこと、
を特徴とするガス絶縁計器用変圧器。
【請求項２】
前記第１の固定接触子および前記第２の固定接触子は、前記断路部に軸止された前記駆動軸の回転軸を中心として回動する前記可動接触子の自由端と接離可能に設置されていること、を特徴とする請求項１に記載のガス絶縁計器用変圧器。
【請求項３】
前記電圧変成部の鉄芯に巻装された二次巻線を励磁する二次端子箱を備えたこと、を特徴とする請求項１または２に記載のガス絶縁計器用変圧器。
【請求項４】
前記容器の外側の前記導体の端部に設置され前記高圧回路を接地する接地板を備えたこと、を特徴とする請求項１〜３のいずれか１つに記載のガス絶縁計器用変圧器。
【請求項５】
前記導体は、前記導体の端部に設置された前記接地板を取り外すことにより前記高圧回路の試験端子として機能すること、を特徴とする請求項４に記載のガス絶縁計器用変圧器。
【発明の詳細な説明】
【技術分野】
【０００１】
本発明は、ガス絶縁計器用変圧器に関するものである。
【背景技術】
【０００２】
発電所や変電所などの電力設備においては、電気機器の絶縁故障を防ぎ、電力の安定供給の観点から、電気機器の絶縁性能の向上が大きな課題となっている。このため、近年では、従来の大気圧空気による気中絶縁方式に代わって絶縁性能の優れた絶縁ガスにより絶縁を施したガス絶縁電気機器が多く用いられるようになってきている。さらに、このようなガス絶縁電気機器を備えた高電圧回路を流れる高電圧の電気量の測定には、計器用変圧器が用いられるようになってきている。
【０００３】
計器用変圧器は、一次側の高圧コイルを常時高電圧回路に接続して電圧変成を行い二次側の低圧コイルで高電圧測定を行うものであるが、高電圧回路の電力設備、例えばガス絶縁開閉装置（以下、「ＧＩＳ：Gas Insulated Switchgear」と称する）などの直流および交流絶縁試験時には、計器用変圧器の鉄芯の磁気飽和による焼損を防止するため、計器用変圧器をＧＩＳから電気的に切り離す必要がある。
【０００４】
例えば、下記特許文献１に示されるガス絶縁計器用変圧器では、断路器を設けることで、耐電圧試験の際にはＧＩＳと計器用変圧器とを電気的に切り離し、耐電圧試験が終了したときにはＧＩＳと計器用変圧器とを電気的に接続することができるように構成されている。
【０００５】
また、ＧＩＳの耐電圧試験を相毎に実施する手段として、下記特許文献２に示される試験用接地装置は、ＧＩＳの各相の端末に対してそれぞれ個別に接離する複数の接地棒を駆動機構によって駆動するように構成されている。
【０００６】
また、下記特許文献３には、計器用変圧器の二次側を逆励磁することで、ＧＩＳ側に試験用変圧器等を設置することなくＧＩＳの現地耐電圧試験を実施する方法が開示されている。
【先行技術文献】
【特許文献】
【０００７】
【特許文献１】特開２００１−１１２１２８号公報（図１、図２）
【特許文献２】特開２００４−１８０３６０号公報（図１、図２）
【特許文献３】特公昭５９−２０１１１号公報（第４項、１９行目〜２５行目）
【発明の概要】
【発明が解決しようとする課題】
【０００８】
上記特許文献１に示される従来技術は、三相分の計器用変圧器が１つの容器内に一括収納されており、耐電圧試験時には、主回路（ＧＩＳ）から計器用変圧器を三相同時で切り離す事しかできず、かつ、接地装置を具備していないためＧＩＳの各相の端末を接地に落とす事ができない構造である。従って、上記特許文献１の従来技術では、工場や現地での耐電圧試験の際に、例えば、一相のみに電圧を印加し他の２相は接地するような場合、ワイヤーなどを用いて計器用変圧器の収納タンク内に仮接地するか、簡易接地装置を取り付けて接地をとる必要があるという課題があった。
【０００９】
また、上記特許文献２に示される接地装置は、耐電圧試験用接地装置であり、計器用変圧器に恒久的に取り付けるものではないため、工場や現地での耐電圧試験が終了した際、計器用変圧器を収納している容器内の絶縁ガスを回収した後に取り外される。そして、接地装置が取り外された後、計器用変圧器の容器に絶縁ガスを再充填する必要がある。従って、余分なガス処理時間が必要になるだけでなく、ガス処理に伴って温室効果ガスであるＳＦ６ガスを大気に放出してしまうおそれがあるという課題があった。
【００１０】
上記特許文献３に示される耐電圧試験方法は、計器用変圧器の二次側を逆励磁する方法であるが、三相一括型の計器用変圧器に適用した場合、三相一括でなければ電圧をかける事ができないため相間の耐電圧性能を確認することができないという問題があった。
【００１１】
なお、逆励磁による耐電圧試験方法を三相一括型の計器用変圧器に適用した場合、各相の試験毎に接地を取る必要があるために、余分なガス処理工程が必要となるだけでなく、万一ワイヤーの取り外しを忘れた場合、ガス絶縁機器運開後に地絡事故が発生する可能性がある。
【００１２】
本発明は、上記に鑑みてなされたものであって、ガス絶縁開閉装置の現地試験を相単位で実施することができるガス絶縁計器用変圧器を得ることを目的とする。
【課題を解決するための手段】
【００１３】
上述した課題を解決し、目的を達成するために、本発明は、絶縁ガスを充填した容器に収納された三相分の電圧変成部を有するガス絶縁計器用変圧器であって、前記電圧変成部の一次巻線に取り付けられた第１の固定接触子と、前記容器と電気的に絶縁された状態で前記容器の内部から外部に延設された導体と、前記容器の内部側の前記導体の端部に取り付けられた第２の固定接触子と、駆動軸の軸中心から半径方向に延在する可動接触子と、高圧回路に接続され、前記可動接触子が前記第１の固定接触子および前記第２の固定接触子と接離可能に構成された断路部と、前記駆動軸の一端に取り付けられ前記可動接触子の自由端を回動させる操作部と、をそれぞれ三相分備えたこと、を特徴とする。
【発明の効果】
【００１４】
この発明によれば、計器用変圧器と接地端子と断路部とをそれぞれ三相分一括で１つの容器に収納し、各相に配置された操作部によって計器用変圧器および接地端子の断路操作を相毎に行えるように構成したので、ガス絶縁開閉装置の現地試験を相単位で実施することができるという効果を奏する。
【図面の簡単な説明】
【００１５】
【図１】図１は、本発明の実施の形態にかかるガス絶縁計器用変圧器の一の縦断面図である。
【図２】図２は、本発明の実施の形態にかかるガス絶縁計器用変圧器の他の縦断面図である。
【図３】図３は、本発明の実施の形態にかかるガス絶縁計器用変圧器の横断面図である。
【図４】図４は、ＧＩＳ側からの耐電圧試験を実施するときの接続状態を説明するための単線結線図である。
【図５】図５は、逆励磁による耐電圧試験を実施するときの接続状態を説明するための単線結線図である。
【図６】図６は、接地端子に試験装置を接続してＧＩＳの各種試験を実施するときの接続状態を説明するための単線結線図である。
【発明を実施するための形態】
【００１６】
以下に、本発明にかかるガス絶縁計器用変圧器の実施の形態を図面に基づいて詳細に説明する。なお、この実施の形態によりこの発明が限定されるものではない。
【００１７】
実施の形態．
図１は、本発明の実施の形態にかかるガス絶縁計器用変圧器の一の縦断面図であり、図２は、本発明の実施の形態にかかるガス絶縁計器用変圧器の他の縦断面図であり、図３は、本発明の実施の形態にかかるガス絶縁計器用変圧器の横断面図である。なお、図１は、図３のＡ−Ａ線に沿う矢視断面図であり、図２は、図３のＢ−Ｂ線に沿う矢視断面図である。
【００１８】
金属容器（容器）１０は、図示しないガス絶縁開閉装置との連通部が絶縁スペーサ１９で仕切られ、密閉された空間を形成している。
【００１９】
金属容器１０の内部には、図３に示すように、三相分の計器用変圧器ＶＴが収納されると共に、高い絶縁性能を有する六フッ化硫黄ガス（ＳＦ６ガス）１１が加圧された状態で封入されている。
【００２０】
また、金属容器１０の内部には、図１に示すように、計器用変圧器一次巻線（以下単に「一次巻線」と称する）１２および計器用変圧器二次巻線（以下単に「二次巻線」と称する）２５を有する計器用変圧器ＶＴと、ＧＩＳに接続され可動ブレード１６が第１の固定接触子１３および第２の固定接触子１４と接離可能に構成された断路部１と、ＧＩＳの試験端子または接地端子として機能する導体である接地端子２３とが収納されている。なお、金属容器１０に充填されるガスは、絶縁性能を有するガスであればよく、ＳＦ６ガス以外の気体でもよい。
【００２１】
金属容器１０の外部には、絶縁操作ロッド１８に取り付けられ可動ブレード１６の自由端を回動させる操作部２６と、計器用変圧器二次巻線２５に接続された二次端子箱４０と、接地端子２３を接地するための接地板２２と、が取り付けられている。
【００２２】
なお、図１および図２には、本発明にかかるガス絶縁計器用変圧器を構成するこれらの要素を分かり易く説明するために、便宜上１つの相に対応する要素のみ示されているが、本実施の形態にかかるガス絶縁計器用変圧器は、図３に示すように、三相分の計器用変圧器ＶＴと、三相分の断路部１と、三相分の接地端子２３とが、金属容器１０に一体的に構成されているものとする。
【００２３】
以下、１つの相に対する計器用変圧器ＶＴ、断路部１、および接地端子２３をそれぞれ詳細に説明する。
【００２４】
まず、電圧変成部である計器用変圧器ＶＴを説明する。計器用変圧器ＶＴは、金属容器１０の内側に設置された鉄心２４と、この鉄心２４に巻回された二次巻線２５と、その外側に巻回された一次巻線１２とを有して構成されている。
【００２５】
図１に示される第１の固定接触子１３は、一次巻線１２に取り付けられ、第１の固定接触子１３の内部には、固定側通電接触子１５ａが具備されている。そのため、可動ブレード（可動接触子）１６の自由端に設置された可動側通電接触子２９（図２参照）が固定側通電接触子１５ａと接している状態のとき（すなわち、可動ブレード１６が図１に示すように実線の位置にあるとき）、計器用変圧器ＶＴは、可動ブレード１６と絶縁操作ロッド（駆動軸）１８と駆動軸シールド１７とを介して、ＧＩＳの相と電気的に接続された状態となる。なお、可動ブレード１６、駆動軸シールド１７、および絶縁操作ロッド１８の詳細に関しては後述する。
【００２６】
次に、断路部１の構成を説明する。断路部１は、絶縁操作ロッド１８と、駆動軸シールド１７と、操作部２６とで構成されている。
【００２７】
以下、断路部１を構成するこれらの構成を詳説する。
【００２８】
駆動軸シールド１７は、絶縁スペーサ１９の一部３１に内在するＧＩＳの端末部分に接続され、ＧＩＳの端末から計器用変圧器ＶＴ側に延設されている。この駆動軸シールド１７は、絶縁操作ロッド１８を回転可能に軸止する金属製の導体であり、駆動軸シールド１７の中心部分は、図２に示すように二股状に形成され、この二股状のスリット部分に可動ブレード１６が収納される構造となっている。このような構造とすることで、ＧＩＳ側からの電圧印加による耐電圧試験時には、可動ブレード１６の周囲が覆われ、計器用変圧器ＶＴに対する電界を緩和することが可能である。
【００２９】
駆動軸シールド１７に軸止される絶縁操作ロッド１８には、絶縁操作ロッド１８の回転軸中心から半径方向に延在する可動ブレード１６が取り付けられている。
【００３０】
絶縁操作ロッド１８は、図２に示すようにシャフトシールケース２７を介して金属容器１０の外部に突出している。
【００３１】
金属容器１０の側面に設置されたシャフトシールケース２７（図２参照）は、大気圧より高い圧力で金属容器１０内に密封されるＳＦ６ガス１１が絶縁操作ロッド１８の貫通部から外部に漏れ出すことを防止するものであり、このシャフトシールケース２７の内部には、金属容器１０を気密に保つためのＯリング２１ｂが設置されている。
【００３２】
図２に示される操作部２６は、金属容器１０の外部に延出した絶縁操作ロッド１８に取り付けられ、モータまたは手動操作により可動ブレード１６を回動させるものである。可動ブレード１６の自由端は、この操作部２６から絶縁操作ロッド１８に伝達された操作量に応じて、絶縁操作ロッド１８を中心として回転軌跡を描くように回動する。可動ブレード１６の自由端が回動することによって、計器用変圧器ＶＴとＧＩＳとが電気的に接続されると共に、計器用変圧器ＶＴとＧＩＳとの電気的な接続が切り離される。また、可動ブレード１６の自由端が回動することによって、接地端子２３とＧＩＳとが電気的に接続されると共に、接地端子２３とＧＩＳとの電気的な接続が切り離される。
【００３３】
次に、接地端子または試験用端子として機能する接地端子２３と、絶縁カラー２０と、接地板２２とを説明する。
【００３４】
金属容器１０の側面に設置された絶縁カラー２０は、接地端子２３を金属容器１０から電気的に絶縁する機能を有するとともに、その内部に設置されたＯリング２１ａによって金属容器１０を気密に保つものである。
【００３５】
金属容器１０の内部側の接地端子２３の端部には、第２の固定接触子１４が取り付けられ、接地端子２３は、絶縁カラー２０を介して、金属容器１０と電気的に絶縁された状態で金属容器１０の内部から外部に延設されている。
【００３６】
金属容器１０の外側の接地端子２３の端部には、ＧＩＳを接地するための金属製の接地板２２が取り付けられている。この接地板２２は、図３に示すようにボルト３０などを用いて金属容器１０に接続され、さらに金属容器１０は、筐体接地されている。従って、金属容器１０の外部に延出した接地端子２３に接地板２２が取り付けられている状態のとき、固定端子１４および接地端子２３は、電気的に接地された状態となる。
【００３７】
より具体的に説明すると、図１に示される第２の固定接触子１４の内部には、固定側通電接触子１５ｂが具備されているため、金属容器１０の外部に延出した接地端子２３に接地板２２が取り付けられ、かつ、可動ブレード１６の自由端に設置された可動側通電接触子２９が固定側通電接触子１５ｂと接している状態のとき、ＧＩＳの相は、接地された状態となる。すなわち、図１に示すように可動ブレード１６が駆動軸シールド１７と第２の固定接触子１４とを繋ぐ点線の位置にあるとき、ＧＩＳの相は、駆動軸シールド１７と絶縁操作ロッド１８と可動ブレード１６と第２の固定接触子１４とを介して電気的に接地された状態となる。
【００３８】
一方、金属容器１０の外部に延出した接地端子２３から接地板２２を取り外した場合、接地端子２３が接地されていない状態となる。このとき、接地端子２３に所定の試験装置を接続することによって、現地据え付け後のＧＩＳの各種試験を実施することが可能である。すなわち、接地端子２３は、接地板２２を取り外すことによりＧＩＳの試験端子として機能する。例えば、主回路抵抗を測定する試験装置を接地端子２３に接続し、可動ブレード１６を第２の固定接触子１４側に回動させて当該試験装置から電流を流すことによって、現地据え付け後のＧＩＳを構成する機器の抵抗値を測定することが可能である。このように、接地端子２３は、絶縁カラー２０によって金属容器１０との絶縁を保った状態で気中に引き出されているため、耐電圧試験以外の試験を実施の場合における、各種試験装置を接続するインターフェイスとして機能する。
【００３９】
次に、断路装置固定端子１３と、接地装置固定端子１４と、絶縁操作ロッド１８との接地位置の関係を説明する。
【００４０】
第１の固定接触子１３と第２の固定接触子１４は、図１に示すように、可動ブレード１６の回転円弧上に所定の距離をあけて配設されている。より詳細には、第１の固定接触子１３および第２の固定接触子１４は、絶縁操作ロッド１８の回転軸を中心として回転軌跡を描くように回動する可動ブレード１６の自由端と接離可能に設置されている。図１では、一例として、駆動軸シールド１７は、計器用変圧器ＶＴの設置位置よりも接地端子２３側に設置され、かつ、この駆動軸シールド１７に軸止さえる絶縁操作ロッド１８に取り付けられた可動ブレード１６の自由端が、第１の固定接触子１３と第２の固定接触子１４に接離可能に構成されている。
【００４１】
なお、上述した所定の距離とは、第１の固定接触子１３と駆動軸シールド１７との絶縁を確保できる距離、あるいは、第２の固定接触子１４と駆動軸シールド１７との絶縁を確保できる距離を意味するものであり、例えば、ＳＦ６ガスを用いた場合に絶縁を確保できる距離、あるいはＳＦ６ガス以外の絶縁性ガスを用いたとき、そのガスの絶縁性能に応じて絶縁を確保できる距離である。
【００４２】
このように、本実施の形態にかかるガス絶縁計器用変圧器は、第１の固定接触子１３と第２の固定接触子１４と絶縁操作ロッド１８との位置関係を考慮することで、図３に示すように、金属容器１０内に三相分の計器用変圧器ＶＴを中心点に極力近づくように配置し、かつ、金属容器１０の外側に三相分の操作部２６を配置することが可能である。
【００４３】
以下、図２に示される二次端子箱４０の構成および機能を詳説する。
【００４４】
二次端子箱４０は、図示しない配線によって二次巻線２５に接続され、運用時にＧＩＳを流れる高電圧の電気量を測定するために使用されるだけでなく、計器用変圧器ＶＴの二次側からＧＩＳを逆励磁して耐電圧試験を実施する際にも使用される。
【００４５】
この逆励磁による耐電圧試験に関して説明すると、例えば、ＧＩＳの性能検証においては、ＧＩＳを構成する機器に対して電圧を印加する試験や電流を流す試験など様々な試験項目があるわけであるが、例えば、耐電圧性能のみ検証する場合、逆励磁によって電圧を印加することでその検証が可能である。なお、通常のＧＩＳ側から電圧を印加して実施する耐電圧試験では、ＧＩＳ側に大がかりな試験装置を設置した上で、図１に示される可動ブレード１６を計器用変圧器ＶＴから切り離して実施されるわけであるが、逆励磁による耐電圧試験では、このような大がかりな試験装置を設置することなく耐電圧試験を実施することが可能である。
【００４６】
以下、図４〜６を用いて、計器用変圧器ＶＴとＧＩＳとの電気的接続状態と、接地端子２３とＧＩＳとの電気的接続状態とを、上述した可動ブレード１６の回動位置に関連付けながら、本実施の形態にかかるガス絶縁計器用変圧器の動作を説明する。
【００４７】
図４は、ＧＩＳ側からの耐電圧試験を実施するときの接続状態を説明するための単線結線図である。さらに、図４（ａ）には、ＧＩＳの相が接地された状態が示され、図４（ｂ）には、ＧＩＳの相が計器用変圧器ＶＴおよび接地端子２３から切り離された状態が示されている。
【００４８】
可動ブレード１６が第２の固定接触子１４側に回動することによって可動側通電接触子２９が固定側通電接触子１５ｂと接しており、かつ、金属容器１０の外部に延出した接地端子２３に接地板２２が取り付けられている状態のとき、ＧＩＳの相は、図４（ａ）に示すように接地された状態となる。
【００４９】
また、可動ブレード１６が駆動軸シールド１７内に収納され、可動側通電接触子２９が固定側通電接触子１５ａおよび固定側通電接触子１５ｂの何れにも接していないとき、当該可動ブレード１６の相は、図４（ｂ）に示すように計器用変圧器ＶＴおよび接地端子２３から切り離された状態となる。
【００５０】
ＧＩＳ側からの耐電圧試験を実施する場合、例えば、三相のうちの２つの相の可動ブレード１６を図４（ａ）の状態とし、残りの１つの相の可動ブレード１６を図４（ｂ）の状態とした上で、接地されていない相に電圧を印加する事により耐電圧試験を実施可能である。なお、線間の耐電圧試験を実施する場合には、三相のうちの２つの相の可動ブレード１６を図４（ｂ）の状態とし、残りの１つの相の可動ブレード１６を図４（ａ）の状態とし上で、接地されていない２つの相に電圧を印加する事により線間の耐電圧試験を実施可能である。
【００５１】
図５は、逆励磁による耐電圧試験を実施するときの接続状態を説明するための単線結線図である。可動ブレード１６が第１の固定接触子１３側に回動することによって可動側通電接触子２９が固定側通電接触子１５ａと接しているとき、計器用変圧器ＶＴがＧＩＳと電気的に接続される。
【００５２】
逆励磁による耐電圧試験を実施する場合、例えば、三相のうちの１つの相の可動ブレード１６を図５の状態とした上で、当該相に二次巻線２５から逆励磁する事により、一次巻線１２にはＧＩＳの耐電圧試験相当の電圧が誘起され、当該相と対地間の耐電圧試験が可能である。なお、逆励磁による線間の耐電圧試験を実施する場合には、三相のうちの２つの相の可動ブレード１６を図５の状態とした上で、この２つの相の計器用変圧器ＶＴを逆励磁すればよい。
【００５３】
図６は、接地端子２３に試験装置を接続してＧＩＳの各種試験を実施するときの接続状態を説明するための単線結線図である。可動ブレード１６が第２の固定接触子１４側に回動することによって可動側通電接触子２９が固定側通電接触子１５ｂと接しているとき、接地端子２３がＧＩＳと電気的に接続される。さらに、接地端子２３には接地板２２の代わりに試験装置が接続されている。
【００５４】
例えば、主回路抵抗を測定する場合、三相のうちの２つの相の可動ブレード１６を図６の状態とした上で、当該試験装置から電流を流すことによって抵抗値を測定することが可能である。
【００５５】
このように、駆動軸シールド１７、絶縁操作ロッド１８、および可動ブレード１６を、断路装置として機能させることができると共に、接地装置としても機能させることが可能である。
【００５６】
なお、全ての相にかかる可動ブレード１６の自由端が固定側通電接触子１５ａに接触している場合、ＧＩＳと計器用変圧器ＶＴは、通常の接続状態となっており、ＧＩＳの各相の電圧を測定が可能である。
【００５７】
以上に説明したように、本実施の形態にかかるガス絶縁計器用変圧器は、三相分の計器用変圧器ＶＴと断路部１と接地端子２３とを、１つの金属容器１０に具備し、操作部２６によって各断路部１を個別に操作可能としたので、以下のような効果を奏する。
【００５８】
第１には、本実施の形態にかかるガス絶縁計器用変圧器では、試験接地装置の取り付けおよび取り外すという作業が不要であり、かつ、可動ブレード１６の自由端が回動することによって計器用変圧器ＶＴとＧＩＳとが電気的に接続されると共に計器用変圧器ＶＴとＧＩＳとの電気的な接続が切り離される。そのため、相毎にＧＩＳ側からの耐電圧試験を実施する事ができ、試験用接地装置の取り外しに伴う絶縁ガスの回収および再充填などの作業が不要となるので、従来のガス絶縁計器用変圧器を使用した場合に比べて、ＧＩＳ設置後における現地耐電圧試験の作業が大幅に軽減される。
【００５９】
第２には、本実施の形態にかかるガス絶縁計器用変圧器は、計器用変圧器ＶＴの二次巻線２５を励磁する二次端子箱４０を備えるようにしたので、相毎に逆励磁による耐電圧試験を実施することも可能である。すなわち、計器用変圧器ＶＴを、計器用変圧器としてだけではなく、耐電圧試験用装置として使用する事も可能である。そのため、大がかりな試験装置をＧＩＳ側に設置することなく耐電圧試験を実施することが可能となる。
【００６０】
第３には、ＧＩＳ側からの耐電圧試験を実施する際、耐電圧試験の電圧と周波数の関係より鉄芯２４が飽和する可能性がある場合には、任意の相の可動ブレード１６を中間位置である駆動軸シールド１７内に内包させる事により、計器用変圧器ＶＴを電気的に切り離した状態でＧＩＳの耐電圧試験を実施することが可能である。
【００６１】
第４には、接地端子２３を試験用接地装置として機能させることができるだけでなく、試験用接地装置以外の試験装置としても機能させることができるため、接地端子２３に所定の試験装置を接続することによって、例えば、ＧＩＳ内の計器用変流器の試験や抵抗測定等の試験を実施する事も可能である。
【産業上の利用可能性】
【００６２】
以上のように、本発明は、高圧回路に対して接続または切離しが可能なガス絶縁計器用変圧器に適用可能であり、特に、現地耐電圧試験をガス処理することなく相単位で実施することができる発明として有用である。
【符号の説明】
【００６３】
１  断路部
１０  金属容器（容器）
１１  ＳＦ６ガス
１２  計器用変圧器一次巻線
１３  第１の固定接触子
１４  第２の固定接触子
１５ａ、１５ｂ  固定側通電接触子
１６  可動ブレード（可動接触子）
１７  駆動軸シールド
１８  絶縁操作ロッド（駆動軸）
１９  絶縁スペーサ
２０  絶縁カラー
２１ａ、２１ｂ  Ｏリング
２２  接地板
２３  接地端子（導体）
２４  鉄芯
２５  計器用変圧器二次巻線
２６  操作部
２７  シャフトシールケース
２９  可動側通電接触子
３０  ボルト
３１  絶縁スペーサの一部
４０  二次端子箱
ＶＴ  計器用変圧器（電圧変成部）
【図１】
0005546338.tif 000002
【図２】
0005546338.tif 000003
【図３】
0005546338.tif 000004
【図４】
0005546338.tif 000005
【図５】
0005546338.tif 000006
【図６】
0005546338.tif 000007